(57)【要約】【課題】交通機関の車内で搭乗者が車外のネットワークに接続する場合の認証処理を効率的かつ確実に行う通信方法、通信システムを提供する。【解決手段】乗車区間、乗車列車、乗車日等が記録された搭乗券に基づいて、認証機３が情報処理サーバ２から認証情報を取得して、搭乗者に対して無線ＬＡＮの利用券を発行する。この利用券に記載された認証情報に基づいて、搭乗者が所有する携帯通信端末５は、電車７内の基地局６と無線ＬＡＮ通信を行う。その際に、基地局６は、情報処理サーバ２に対して認証のための問い合わせを行う。【選択図】図１
2006129260.tif 000002
【特許請求の範囲】
【請求項１】
ユーザ端末と移動体内に位置する基地局及び認証機と、移動体外に位置する情報処理サーバと、を含む通信システムで使用される通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を前記認証機に送信し、
前記認証機は、受信した前記認証情報を出力する
ことを特徴とする通信方法。
【請求項２】
前記ユーザ端末は、前記認証機から出力された前記認証情報を前記基地局に送信し、
前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可する
ことを特徴とする請求項１に記載の通信方法。
【請求項３】
ユーザ端末と移動体内に位置する基地局及び認証機と、移動体外に位置する情報処理サーバと、前記移動体が停車する駅に位置する通信装置と、を含む通信システムで使用される通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を前記認証機に送信し、
前記認証機は、受信した前記認証情報を出力し、
前記ユーザ端末は、前記認証機から出力された前記認証情報を前記基地局に送信し、
前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可し、
前記通信装置は、自駅を示す駅情報を発信し、
前記基地局は、前記駅情報を受信すると、当該駅情報が示す駅が降車駅であるか否かを前記情報処理サーバに問い合わせを行い、降車駅である場合には前記ユーザ端末との通信を不許可にする
ことを特徴とする通信方法。
【請求項４】
ユーザ端末と移動体内に位置する基地局及び認証機と、移動体外に位置する情報処理サーバと、前記移動体が停車する駅に位置する通信装置と、を含む通信システムで使用される通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を前記認証機に送信し、
前記認証機は、受信した前記認証情報を出力し、
前記ユーザ端末は、前記認証機から出力された前記認証情報を前記基地局に送信し、
前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可し、
前記通信装置は、自駅を示す駅情報を発信し、
前記基地局は、前記駅情報を受信すると、当該駅情報が示す駅が降車駅であるか否かを前記情報処理サーバに問い合わせを行い、降車駅である場合には、当該駅情報が受信できなくなったときに前記ユーザ端末との通信を不許可にする
ことを特徴とする通信方法。
【請求項５】
ユーザ端末と移動体内に位置する基地局及び認証機と、移動体外に位置する情報処理サーバと、を含む通信システムで使用される通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を記憶するとともに前記認証機に送信し、
前記認証機は、受信した前記認証情報を出力する
ことを特徴とする通信方法。
【請求項６】
前記ユーザ端末は、前記認証機から出力された前記認証情報を前記基地局に送信し、
前記基地局は、前記記憶した認証情報と前記ユーザ端末から受信した認証情報とが一致する場合には前記ユーザ端末との通信を許可する
ことを特徴とする請求項５に記載の通信方法。
【請求項７】
ユーザ端末と移動体内に位置する基地局及び認証機と、移動体外に位置する情報処理サーバと、前記移動体が停車する駅に位置する通信装置と、を含む通信システムで使用される通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を記憶するとともに前記認証機に送信し、
前記認証機は、受信した前記認証情報を出力し、
前記ユーザ端末は、前記認証機から出力された前記認証情報を前記基地局に送信し、
前記基地局は、前記記憶した認証情報と前記ユーザ端末から受信した認証情報とが一致す
る場合には前記ユーザ端末との通信を許可し、
前記通信装置は、自駅を示す駅情報を発信し、
前記基地局は、前記駅情報を受信すると、当該受信した駅情報が示す駅が降車駅であるか否かを、自局が記憶する前記認証情報に基づいて判断し、降車駅である場合には前記ユーザ端末との通信を不許可にする
ことを特徴とする通信方法。
【請求項８】
ユーザ端末と移動体内に位置する基地局及び認証機と、移動体外に位置する情報処理サーバと、前記移動体が停車する駅に位置する通信装置と、を含む通信システムで使用される
通信方法であって、
前記認証機は、前記移動体に搭乗するための搭乗券に記憶された搭乗情報を読み取るとともに、当該搭乗情報を前記基地局に送信し、
前記基地局は、受信した前記搭乗情報と自局の識別情報を前記情報処理サーバに送信し、
前記情報処理サーバは、受信した前記搭乗情報と前記識別情報に基づいて、当該識別情報が示す基地局の利用を許可する認証情報を前記基地局に送信し、
前記基地局は、受信した前記認証情報を記憶するとともに前記認証機に送信し、
前記認証機は、受信した前記認証情報を出力し、
前記ユーザ端末は、前記認証機から出力された前記認証情報を前記基地局に送信し、
前記基地局は、前記記憶した認証情報と前記ユーザ端末から受信した認証情報とが一致する場合には前記ユーザ端末との通信を許可し、
前記通信装置は、自駅を示す駅情報を発信し、
前記基地局は、前記駅情報を受信すると、当該受信した駅情報が示す駅が降車駅であるか否かを、自局が記憶する前記認証情報に基づいて判断し、降車駅である場合には、当該駅情報が受信できなくなったときに前記ユーザ端末との通信を不許可にする
ことを特徴とする通信方法。
【請求項９】
前記搭乗情報は、前記移動体の搭乗日時と搭乗区間とを示す情報を含む
ことを特徴とする請求項１、３、４、５、７、８のいずれか１つに記載の通信方法。
【請求項１０】
ユーザ端末と、移動体内に位置する基地局及び認証機と、移動体外に位置する情報処理サーバと、を含む通信システムであって、
前記認証機は、前記移動体に搭乗するための搭乗券に記憶された搭乗情報を読み取る読み取り手段と、情報を出力する出力手段とを有し、
前記基地局は、自局の識別情報を記憶する記憶手段を有し、
前記情報処理サーバは、記憶手段を有し、
前記認証機は、読み取り手段により読み取った搭乗情報を前記基地局に送信し、
前記基地局は、受信した搭乗情報と前記記憶手段に記憶した識別情報とを前記情報処理サーバに送信し、
前記情報処理サーバは、受信した搭乗情報及び識別情報に基づいて当該識別情報が示す基地局の利用を許可する認証情報を前記記憶手段に記憶すると共に前記基地局に送信し、前記基地局は、受信した認証情報を前記認証機に送信し、前記認証機は、受信した認証情報を前記出力手段により出力する
ことを特徴とする通信システム。
【請求項１１】
前記基地局は、ユーザ端末との通信を制御する制御手段を有し、
前記情報処理サーバは、さらに前記記憶手段に記憶する認証情報と前記基地局より受信する認証情報とが一致するか否かを判断する判断手段を有し、
前記ユーザ端末は、前記認証機より出力された認証情報を前記基地局に送信し、
前記基地局は、ユーザ端末より受信した認証情報を前記情報処理サーバに送信し、
情報処理サーバは、前記判断手段による受信した認証情報と記憶手段に記憶する認証情報との判断結果を前記基地局に送信し、
前記基地局は、受信した判断結果が一致していた場合、前記制御手段にて前記ユーザ端末との通信を許可する
ことを特徴とする請求項１０に記載の通信システム。
【請求項１２】
前記通信システムは、さらに前記移動体が停車する駅に位置する通信装置を含み、
前記通信装置は、自駅を示す駅情報を発信する発信手段を有し、
前記基地局は、前記通信装置より受信した駅情報を前記情報処理サーバに送信し、駅情報を受信した情報処理サーバは、前記判断手段よって受信した駅情報と記憶手段に記憶する認証情報とを照らし合わせて、前記駅情報が示す駅が降車駅であるか否かを判断し、その判断結果を前記基地局に送信し、
前記基地局は、受信した判断結果が降車駅であった場合、前記ユーザ端末との通信を不許可にする
ことを特徴とする請求項１１に記載の通信システム。
【請求項１３】
前記通信システムは、さらに前記移動体が停車する駅に位置する通信装置を含み、
前記通信装置は、自駅を示す駅情報を発信する発信手段をし、
前記基地局は、前記通信装置より受信した駅情報を前記情報処理サーバに送信し、駅情報を受信した情報処理サーバは、前記判断手段よって受信した駅情報と記憶手段に記憶する認証情報とを照らし合わせて、前記駅情報が示す駅が降車駅であるか否かを判断し、その判断結果を前記基地局に送信し、
前記基地局は、受信した判断結果が降車駅であった場合、当該降車駅より受信する駅情報が受信できなくなったときに前記ユーザ端末との通信を不許可にする
ことを特徴とする請求項１１に記載の通信システム。
【請求項１４】
ユーザ端末と、移動体内に位置する基地局及び認証機と、移動体外に位置する情報処理サーバと、を含む通信システムであって、
前記認証機は、前記移動体に搭乗するための搭乗券に記憶された搭乗情報を読み取る読み取り手段と、情報を出力する出力手段とを有し、
前記基地局は、自局の識別情報を記憶する記憶手段と、ユーザ端末との通信を制御する制御手段とを有し、
前記情報処理サーバは、記憶手段と、搭乗情報に基づいて移動体内の基地局を選択する選択手段を有し、
前記認証機は、読み取り手段により読み取った搭乗情報を前記基地局に送信し、
前記基地局は、受信した搭乗情報と記憶手段に記憶した識別情報とを前記情報処理サーバに送信し、前記情報処理サーバは、受信した搭乗情報及び前記識別情報に基づいて当該識別情報が示す基地局の利用を許可する認証情報を前記基地局に送信し、前記基地局は、受信した認証情報を前記記憶手段に記憶すると共に前記認証機に送信し、前記認証機は、受信した認証情報を前記出力手段により出力する
ことを特徴とする通信システム。
【請求項１５】
前記ユーザ端末は、前記認証機より出力された認証情報を前記基地局に送信し、
認証情報を受信した前記基地局は、前記制御手段により受信した認証情報と前記記憶手段に記憶する認証情報とが一致するか否かを判断し、両情報が一致する場合、前記ユーザ端末との通信を許可する
ことを特徴とする請求項１４に記載の通信システム。
【請求項１６】
前記通信システムは、さらに前記移動体が停車する駅に位置する通信装置を含み、
前記通信装置は、自駅を示す駅情報を発信する発信手段を有し、
前記基地局は、前記通信装置より受信した駅情報を受信し、前記制御手段よって受信した駅情報と前記記憶手段に記憶する認証情報とを照らし合わせて、前記駅情報が示す駅が降車駅であるか否かを判断し、その判断結果が降車駅であった場合、前記ユーザ端末との通信を不許可にする
ことを特徴とする請求項１５に記載の通信システム。
【請求項１７】
前記通信システムは、さらに前記移動体が停車する駅に位置する通信装置を含み、
前記通信装置は、自駅を示す駅情報を発信する発信手段を有し、
前記基地局は、前記通信装置より受信した駅情報を受信し、前記制御手段よって受信した駅情報と前記記憶手段に記憶する認証情報とを照らし合わせて、前記駅情報が示す駅が降車駅であるか否かを判断し、その判断結果が降車駅であった場合、当該降車駅より受信する駅情報が受信できなくなったときに前記ユーザ端末との通信を不許可にする
ことを特徴とする請求項１５に記載の通信システム。
【請求項１８】
基地局と通信可能な情報処理サーバであって、
搭乗情報及び前記基地局の識別情報を受信する受信手段と、
当該受信手段により受信した搭乗情報と識別情報とに基づいて、当該識別情報が示す基地局の利用を許可する認証情報を送信する送信手段と、
を有することを特徴とする情報処理サーバ。
【発明の詳細な説明】
【技術分野】
【０００１】
本発明は、電車等の移動体内でデータ通信を行うための受信方法に関し、特に、その際にユーザ認証を行うための認証機、情報処理サーバ、基地局に関するものである。
【背景技術】
【０００２】
近年、データ通信に特化して高速通信を可能にするＨＤＲ（High Data Rate）や無線ＬＡＮ等、通信技術の進歩には目覚しいものがある。
たとえば、携帯通信端末の高速無線通信方式として、cdma2000 1x-EV DO方式が開発されている。上記cdma2000 1x-EV DO方式は、電波産業会(ARIB)において、Std. T64 IS-2000 C.S.0024 “High Rate Packet Data Air Interface Specification”で標準化されているもので、cdma2000 1x方式に対してさらにデータ通信に特化してデータレートを改善することを目的とした方式である。
【０００３】
そして、かかる高速データ通信をユーザの使用環境に応じて利用できるようにするための様々な技術が開発されているところである。
たとえば、下記特許文献１には、無線ＬＡＮのアクセスポイントを屋外の色々な場所に設置することで、時と場所を選ばす街中にいるユーザが自己の端末でアクセスポイントを介してネットワークに接続できるシステムが提案されている。
また、街中にとどまらず、たとえば、列車やバス等の公共交通機関の車内にアクセスポイントを設置してシステムを構築し、ユーザが自己の端末から車外のネットワークに接続して、車内での移動時間を有効活用した情報収集やデータの送受信が行えるようにすることも想定し得るところである。
【０００４】
【特許文献１】特開２００４−２３６０６４号公報
【発明の開示】
【発明が解決しようとする課題】
【０００５】
しかしながら、上述のように公共交通機関の車内でユーザが自由にネットワークに接続できるシステムを構築する際、課題となるのがユーザの認証作業である。すなわち、公共交通機関の車内にアクセスポイントを設置して公衆通信網として広くユーザに開放する際、限られた無線資源を有効かつ適切にユーザに割り当てる必要があり、そのためにはユーザ個別にユーザＩＤやパスワード（ＰＷ）といった認証情報を与えるとともに、この認証情報に基づいて正しく認証作業を行ったユーザの端末にのみにアクセスポイントへのアクセス権を付与するという作業が必要である。
【０００６】
このような一連の認証作業を行うことは、煩雑であることはもちろん、いかにして認証情報をユーザに発行するかという問題もある。
【０００７】
上記課題を鑑み、本発明の目的は、交通機関の車内で搭乗者が車外のネットワークに接続する場合の認証処理を効率的かつ確実に行う通信方法を提供することである。
【課題を解決するための手段】
【０００８】
上記課題を克服するために、本発明の第１の観点は、ユーザ端末と移動体内に位置する基地局及び認証機と、移動体外に位置する情報処理サーバと、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を前記認証機に送信し、前記認証機は、受信した前記認証情報を出力する通信方法である。
【０００９】
好適には、前記ユーザ端末は、前記認証機から出力された前記認証情報を前記基地局に送信し、前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可する。
【００１０】
上記課題を克服するために、本発明の第２の観点は、ユーザ端末と移動体内に位置する基地局及び認証機と、移動体外に位置する情報処理サーバと、前記移動体が停車する駅に位置する通信装置と、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を前記認証機に送信し、前記認証機は、受信した前記認証情報を出力し、前記ユーザ端末は、前記認証機から出力された前記認証情報を前記基地局に送信し、前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可し、前記通信装置は、自駅を示す駅情報を発信し、前記基地局は、前記駅情報を受信すると、当該駅情報が示す駅が降車駅であるか否かを前記情報処理サーバに問い合わせを行い、降車駅である場合には前記ユーザ端末との通信を不許可にする通信方法である。
【００１１】
上記課題を克服するために、本発明の第３の観点は、ユーザ端末と移動体内に位置する基地局及び認証機と、移動体外に位置する情報処理サーバと、前記移動体が停車する駅に位置する通信装置と、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を前記認証機に送信し、前記認証機は、受信した前記認証情報を出力し、前記ユーザ端末は、前記認証機から出力された前記認証情報を前記基地局に送信し、前記基地局は、前記ユーザ端末から前記認証情報を受信すると、当該受信した認証情報が自局の利用を許可する情報であるか否かを前記情報処理サーバに対して問い合わせを行うとともに、前記認証情報が自局の利用を許可する情報である場合は前記ユーザ端末との通信を許可し、前記通信装置は、自駅を示す駅情報を発信し、前記基地局は、前記駅情報を受信すると、当該駅情報が示す駅が降車駅であるか否かを前記情報処理サーバに問い合わせを行い、降車駅である場合には、当該駅情報が受信できなくなったときに前記ユーザ端末との通信を不許可にする通信方法である。
【００１２】
上記課題を克服するために、本発明の第４の観点は、ユーザ端末と移動体内に位置する基地局及び認証機と、移動体外に位置する情報処理サーバと、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を記憶するとともに前記認証機に送信し、前記認証機は、受信した前記認証情報を出力する通信方法である。
【００１３】
好適には、前記ユーザ端末は、前記認証機から出力された前記認証情報を前記基地局に送信し、前記基地局は、前記記憶した認証情報と前記ユーザ端末から受信した認証情報とが一致する場合には前記ユーザ端末との通信を許可する。
【００１４】
上記課題を克服するために、本発明の第５の観点は、ユーザ端末と移動体内に位置する基地局及び認証機と、移動体外に位置する情報処理サーバと、前記移動体が停車する駅に位置する通信装置と、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を記憶するとともに前記認証機に送信し、前記認証機は、受信した前記認証情報を出力し、前記ユーザ端末は、前記認証機から出力された前記認証情報を前記基地局に送信し、前記基地局は、前記記憶した認証情報と前記ユーザ端末から受信した認証情報とが一致する場合には前記ユーザ端末との通信を許可し、前記通信装置は、自駅を示す駅情報を発信し、前記基地局は、前記駅情報を受信すると、当該受信した駅情報が示す駅が降車駅であるか否かを、自局が記憶する前記認証情報に基づいて判断し、降車駅である場合には前記ユーザ端末との通信を不許可にする通信方法である。
【００１５】
上記課題を克服するために、本発明の第６の観点は、ユーザ端末と移動体内に位置する基地局及び認証機と、移動体外に位置する情報処理サーバと、前記移動体が停車する駅に位置する通信装置と、を含む通信システムで使用される通信方法であって、前記認証機は、前記移動体に搭乗するための搭乗券に記憶された搭乗情報を読み取るとともに、当該搭乗情報を前記基地局に送信し、前記基地局は、受信した前記搭乗情報と自局の識別情報を前記情報処理サーバに送信し、前記情報処理サーバは、受信した前記搭乗情報と前記識別情報に基づいて、当該識別情報が示す基地局の利用を許可する認証情報を前記基地局に送信し、前記基地局は、受信した前記認証情報を記憶するとともに前記認証機に送信し、前記認証機は、受信した前記認証情報を出力し、前記ユーザ端末は、前記認証機から出力された前記認証情報を前記基地局に送信し、前記基地局は、前記記憶した認証情報と前記ユーザ端末から受信した認証情報とが一致する場合には前記ユーザ端末との通信を許可し、前記通信装置は、自駅を示す駅情報を発信し、前記基地局は、前記駅情報を受信すると、当該受信した駅情報が示す駅が降車駅であるか否かを、自局が記憶する前記認証情報に基づいて判断し、降車駅である場合には、当該駅情報が受信できなくなったときに前記ユーザ端末との通信を不許可にする通信方法である。
【００１６】
好適には、前記搭乗情報は、前記移動体の搭乗日時と搭乗区間とを示す情報を含む。
【００１７】
上記課題を克服するために、本発明の第７の観点は、ユーザ端末と、移動体内に位置する基地局及び認証機と、移動体外に位置する情報処理サーバと、を含む通信システムであって、前記認証機は、前記移動体に搭乗するための搭乗券に記憶された搭乗情報を読み取る読み取り手段と、情報を出力する出力手段とを有し、前記基地局は、自局の識別情報を記憶する記憶手段を有し、前記情報処理サーバは、記憶手段を有し、前記認証機は、読み取り手段により読み取った搭乗情報を前記基地局に送信し、前記基地局は、受信した搭乗情報と前記記憶手段に記憶した識別情報とを前記情報処理サーバに送信し、前記情報処理サーバは、受信した搭乗情報及び識別情報に基づいて当該識別情報が示す基地局の利用を許可する認証情報を前記記憶手段に記憶すると共に前記基地局に送信し、前記基地局は、受信した認証情報を前記認証機に送信し、前記認証機は、受信した認証情報を前記出力手段により出力する通信システムである。
【００１８】
好適には、前記基地局は、ユーザ端末との通信を制御する制御手段を有し、前記情報処理サーバは、さらに前記記憶手段に記憶する認証情報と前記基地局より受信する認証情報とが一致するか否かを判断する判断手段を有し、前記ユーザ端末は、前記認証機より出力された認証情報を前記基地局に送信し、前記基地局は、ユーザ端末より受信した認証情報を前記情報処理サーバに送信し、情報処理サーバは、前記判断手段による受信した認証情報と記憶手段に記憶する認証情報との判断結果を前記基地局に送信し、前記基地局は、受信した判断結果が一致していた場合、前記制御手段にて前記ユーザ端末との通信を許可する。
【００１９】
好適には、前記通信システムは、さらに前記移動体が停車する駅に位置する通信装置を含み、前記通信装置は、自駅を示す駅情報を発信する発信手段を有し、前記基地局は、前記通信装置より受信した駅情報を前記情報処理サーバに送信し、駅情報を受信した情報処理サーバは、前記判断手段よって受信した駅情報と記憶手段に記憶する認証情報とを照らし合わせて、前記駅情報が示す駅が降車駅であるか否かを判断し、その判断結果を前記基地局に送信し、前記基地局は、受信した判断結果が降車駅であった場合、前記ユーザ端末との通信を不許可にする。
【００２０】
好適には、前記通信システムは、さらに前記移動体が停車する駅に位置する通信装置を含み、前記通信装置は、自駅を示す駅情報を発信する発信手段をし、前記基地局は、前記通信装置より受信した駅情報を前記情報処理サーバに送信し、駅情報を受信した情報処理サーバは、前記判断手段よって受信した駅情報と記憶手段に記憶する認証情報とを照らし合わせて、前記駅情報が示す駅が降車駅であるか否かを判断し、その判断結果を前記基地局に送信し、前記基地局は、受信した判断結果が降車駅であった場合、当該降車駅より受信する駅情報が受信できなくなったときに前記ユーザ端末との通信を不許可にする。
【００２１】
上記課題を克服するために、本発明の第８の観点は、ユーザ端末と、移動体内に位置する基地局及び認証機と、移動体外に位置する情報処理サーバと、を含む通信システムであって、前記認証機は、前記移動体に搭乗するための搭乗券に記憶された搭乗情報を読み取る読み取り手段と、情報を出力する出力手段とを有し、前記基地局は、自局の識別情報を記憶する記憶手段と、ユーザ端末との通信を制御する制御手段とを有し、前記情報処理サーバは、記憶手段と、搭乗情報に基づいて移動体内の基地局を選択する選択手段を有し、前記認証機は、読み取り手段により読み取った搭乗情報を前記基地局に送信し、前記基地局は、受信した搭乗情報と記憶手段に記憶した識別情報とを前記情報処理サーバに送信し、前記情報処理サーバは、受信した搭乗情報及び前記識別情報に基づいて当該識別情報が示す基地局の利用を許可する認証情報を前記基地局に送信し、前記基地局は、受信した認証情報を前記記憶手段に記憶すると共に前記認証機に送信し、前記認証機は、受信した認証情報を前記出力手段により出力する通信システムである。
【００２２】
好適には、前記ユーザ端末は、前記認証機より出力された認証情報を前記基地局に送信し、認証情報を受信した前記基地局は、前記制御手段により受信した認証情報と前記記憶手段に記憶する認証情報とが一致するか否かを判断し、両情報が一致する場合、前記ユーザ端末との通信を許可する。
【００２３】
好適には、前記通信システムは、さらに前記移動体が停車する駅に位置する通信装置を含み、前記通信装置は、自駅を示す駅情報を発信する発信手段を有し、前記基地局は、前記通信装置より受信した駅情報を受信し、前記制御手段よって受信した駅情報と前記記憶手段に記憶する認証情報とを照らし合わせて、前記駅情報が示す駅が降車駅であるか否かを判断し、その判断結果が降車駅であった場合、前記ユーザ端末との通信を不許可にする。
【００２４】
好適には、前記通信システムは、さらに前記移動体が停車する駅に位置する通信装置を含み、前記通信装置は、自駅を示す駅情報を発信する発信手段を有し、前記基地局は、前記通信装置より受信した駅情報を受信し、前記制御手段よって受信した駅情報と前記記憶手段に記憶する認証情報とを照らし合わせて、前記駅情報が示す駅が降車駅であるか否かを判断し、その判断結果が降車駅であった場合、当該降車駅より受信する駅情報が受信できなくなったときに前記ユーザ端末との通信を不許可にする。
【００２５】
上記課題を克服するために、本発明の第９の観点は、基地局と通信可能な情報処理サーバであって、搭乗情報及び前記基地局の識別情報を受信する受信手段と、当該受信手段により受信した搭乗情報と識別情報とに基づいて、当該識別情報が示す基地局の利用を許可する認証情報を送信する送信手段と、を有する情報処理サーバである。
【発明の効果】
【００２６】
本発明によれば、交通機関の車内で搭乗者が車外のネットワークに接続する場合の認証処理を効率的かつ確実に行うことができる。
【発明を実施するための最良の形態】
【００２７】
＜第１の実施形態＞
以下、本発明の通信システムの一実施形態を添付図面に関連付けて説明する。
【００２８】
図１は、本実施形態に係る通信システム１０のシステム構成図である。
図１に示す通信システム１０では、搭乗者は、列車やバスなどの移動する車両内に設置された無線中継装置を経由して、後に述べる所定の認証処理を経た後、車内でデータ通信を行うことができる。
以下、通信システム１０の各構成要素について説明する。
【００２９】
通信システムの構成
電車７は、搭乗者が携帯通信端末５を持ち込んで搭乗する移動体である。なお、電車に限らず、バスなどの移動手段であれば、本発明の適用は電車に限られない。
電車７は、本発明の移動体の一実施形態である。
【００３０】
認証機３は、電車７の車内を巡回する車掌が所持する、携帯型の無線ＬＡＮの利用認証を行うための端末である。認証機３は、搭乗券に含まれる搭乗情報に基づいて、搭乗者に対して無線ＬＡＮ利用券を発行する。
搭乗券は、電車７を利用するためのチケットであり、予め指定された乗車日時、車両番号、乗車区間、などの搭乗情報が磁気データとして記録されている。搭乗者は、搭乗券を図示しない発券機により事前に取得し、無線ＬＡＮの利用を希望する場合には、認証機３を所持する車掌に搭乗券を手渡して、無線ＬＡＮ利用券を発行してもらう。
無線ＬＡＮ利用券は、搭乗者が電車７の車内でデータ通信を行うための利用券であり、ユーザＩＤやパスワードなどが記録されている。
【００３１】
図２は、認証機３の構成を示すブロック図である。図２に示すように、認証機３は、制御部３１、無線ＬＡＮ通信３２、挿入／取出し口３３、表示部３４、操作部３５を有する。
図３は、認証機３の外観構成の一例である。
図３において、挿入／取出し口３３は、挿入口３３ａと取出し口３３ｂとからなり、たとえば車掌は、搭乗者の搭乗券を挿入口３３ａに挿入し、これに応じて発行された無線ＬＡＮ利用券を取出し口３３ｂから取り出す。
【００３２】
図３において、表示部３４は、２つの液晶表示装置（ＬＣＤ）として、ＬＣＤ３４ａとＬＣＤ３４ｂとを有する。ＬＣＤ３４ａは、無線ＬＡＮ利用券を発行するための処理を表示するためのＬＣＤであり、ＬＣＤ３４ｂは、たとえば路線図等を表示するためのＬＣＤである。
操作部３５は、複数のキーからなる入力手段を含む構成となっている。
【００３３】
搭乗者からの無線ＬＡＮ利用の希望に応じて、車掌は、その搭乗者の搭乗券を認証機３の挿入口３３ａに挿入する。認証機３は、挿入された搭乗券の磁気データから搭乗情報を読み取った後、無線ＬＡＮ通信により基地局６を介して情報処理サーバ２に接続し、無線ＬＡＮの利用申請を行う。当該利用申請には、搭乗情報が含まれる。
認証機３は、当該申請に応じてユーザＩＤおよびパスワード（認証情報）を取得した後、取出し口３３ｂから無線ＬＡＮ利用券を発行する。
【００３４】
なお、本実施形態における説明では、認証機３は、無線ＬＡＮ利用券を発行することで認証情報を出力するようにしているが、ユーザに対して車内の無線ＬＡＮを利用するための認証情報が通知できればよいので、その認証情報を表示部３４に表示するだけでもよい。
【００３５】
基地局６は、電車７の各車両に設置されており、携帯通信端末５からの無線ＬＡＮのＡＰ（アクセスポイント）となっている。すなわち、搭乗者の携帯通信端末５と広域通信基地局４を中継する。
また、基地局６は、それぞれ固有の識別情報を有している。この識別情報により、１つの基地局６を特定することが可能となっている。
基地局６は、認証機３からの搭乗情報に基づいて情報処理サーバ２に対して、無線ＬＡＮの利用申請（以下、適宜利用申請と略記する）を行う。利用申請には、認証機３からの搭乗情報のほか、基地局６の識別情報が含まれる。
【００３６】
基地局６は、認証機３および搭乗者の携帯通信端末５と無線ＬＡＮの通信を行い、広域通信基地局４とＣＤＭＡ２０００  １ｘＥＶＤＯ方式（以下、ＥＶＤＯ方式と略記する）に対応したデータ通信を行う。
【００３７】
図４は、基地局６の構成を示すブロック図である。図４に示すように、基地局６は、制御部６１、通信データを保持する記憶部６２、ＥＶＤＯ通信部６３、無線ＬＡＮ通信部６４、を有する。
ＥＶＤＯ通信部６３は、無線回路とアンテナを含み、ＥＶＤＯ方式のデータ通信を行う。無線ＬＡＮ通信部６４は、無線回路とアンテナを含み、認証機３および携帯通信端末５と短距離通信を行う。
【００３８】
本実施形態に係る通信システムでは、基地局６は、携帯通信端末５からの接続要求を受けると、その接続要求に含まれる認証情報（パスワード、ユーザＩＤ）が自局に割り当てられているか否かを情報処理サーバ２に対して問い合わせる。その結果、自局に割り当てられている場合には、携帯通信端末５に対して通信を許可する。
【００３９】
情報処理サーバ２は、電車毎の無線ＬＡＮの利用申請を一元管理するサーバである。
情報処理サーバ２は、ネットワーク１に接続されていれば、駅の構内に限らずどこに設置されていてもよい。
【００４０】
情報処理サーバ２は、基地局６から送信される利用申請を受け、その利用申請に含まれる搭乗情報、識別情報に基づいて、対応する基地局６をアクセスポイントとして無線ＬＡＮを利用するための必要な認証情報（ユーザＩＤおよびパスワードなど）を割り当てる。なお、認証情報は、データ通信のセキュリティを向上させるための暗号キーを含むようにしてもよい。
【００４１】
情報処理サーバ２は、限られた数のユーザＩＤを搭乗者が有効に利用できるように、認証情報を管理している。たとえば、ある搭乗者からの搭乗情報に含まれる乗車区間に応じて、ユーザＩＤを割り当て、その乗車区間が過ぎた後は、別の搭乗者のためにそのユーザＩＤを開放する。
【００４２】
図４は、情報処理サーバ２の構成を示すブロック図である。図４に示すように、情報処理サーバ２は、制御部２１、ネットワーク接続部２２、記憶部２３を有する。
ネットワーク接続部２２は、基地局６からネットワーク１を介して利用申請を受け、ネットワーク１を介して基地局６および認証機３に対して認証情報を与える。
記憶部２３は、ユーザＩＤおよびパスワードなどの認証情報を、無線ＬＡＮの利用許可を与えている搭乗者の利用区間と対応付けて記憶する。
制御部２１は、記憶部２３内の認証情報を管理する。たとえば、利用申請に応じて、利用可能なユーザＩＤ（開放されているユーザＩＤ）を記憶部２３から検索する。
【００４３】
携帯通信端末５は、たとえば、搭乗者が所有する、無線ＬＡＮカードを備えたノート型ＰＣなどである。なお、携帯通信端末５は、本発明のユーザ端末の一実施形態である。
搭乗者は、車掌から、認証機３が発行する無線ＬＡＮ利用券を受け取り、当該利用券に出力された認証情報（ユーザＩＤ、パスワード等）を携帯通信端末５に入力する。
【００４４】
図６は、携帯通信端末５のブロック構成を示す図である。図６に示すように、携帯通信端末５は、制御部５１、無線ＬＡＮ通信部５２、表示部５３、操作部５４を有する。
操作部５４は複数のキーを備え、表示部５３は液晶表示装置（ＬＣＤ）などの表示装置を含んで構成される。
無線ＬＡＮ通信部５２は、たとえば、無線ＬＡＮカードを介して、基地局６と短距離通信による無線ＬＡＮの通信を行う。当該通信におけるタイミング制御、通信データの生成／保存などは、制御部５１が行う。
搭乗者がデータ通信を行う際には、操作部５４に対して、所定の手続きに沿って、認証情報を入力して接続要求を行うことによりデータ通信を行うか否かの認証が行われる。接続要求が許可された場合には、基地局６を介して外部とのデータ通信が可能となる。
【００４５】
広域通信基地局４は、電車７に設置された基地局６とＥＶＤＯ方式の通信を行う基地局である。
広域通信基地局４は、ＣＤＭＡ２０００  １Ｘ  ＥＶＤＯ網（図示しない）を介してネットワーク１に接続され、基地局６を介して搭乗者の携帯通信端末５と通信を行う。
【００４６】
図７は、広域通信基地局４のブロック構成を示す図である。
図７に示すように、広域通信基地局４は、制御部４１、ＥＶＤＯ通信部４２を有し、制御部４１による制御の下、ＥＶＤＯ通信部４２がＥＶＤＯ方式によるデータ通信を行う。
その際、制御部４１は、基地局６に対してデータ送信を行うように、ＥＶＤＯ通信部４２を制御する。
【００４７】
通信システムの動作
次に、本実施形態に係る通信システム１０における通信方法について、図８に関連付けて述べる。
図８は、通信システム１０における通信方法を説明するための処理フロー図である。
なお、図に示すように、（ａ）〜（ｈ）は無線ＬＡＮ利用券が発行されるまでの処理、（ｉ）〜（ｍ）は搭乗者が無線ＬＡＮの通信を行う際の処理、である。なお、図に示すユーザは、搭乗者および車掌を含む。
【００４８】
（ａ）および（ｂ）：搭乗者の利用券申請
まず、電車７内でデータ通信を行うことを希望する搭乗者は、電車７を巡回する車掌に対してその旨を伝える。車掌は、無線ＬＡＮの利用券を発行するために、搭乗券を認証機３に挿入し、所定の操作を行う。
図９は、利用券の発行処理における認証機３のＬＣＤ３４ａの一表示例を示す。
図９では、認証機３は、挿入された搭乗券から磁気データとして記録される搭乗情報を読み取って、乗車日時、利用区間を表示している。そして、操作部３５に対する入力操作により車掌が「発行」を選択すると、認証機３は搭乗者の利用申請を受け付ける。
【００４９】
（ｃ）：無線ＬＡＮの利用申請
認証機３は、基地局６に対して、搭乗券から読み取った搭乗情報を含む利用申請を行う。
その際、認証機３と基地局６は短距離通信によりデータの送受信を行う。
【００５０】
（ｄ）：無線ＬＡＮの利用申請
基地局６は、情報処理サーバ２に対して、認証機３から受けた利用申請に対して自局の識別情報を含めた形で、情報処理サーバ２に利用申請を行う。
その際、基地局６と情報処理サーバ２は、広域通信基地局４およびネットワーク１を介して、ＥＶＤＯ方式のデータ通信を行う。
【００５１】
（ｅ）：認証情報の発行
情報処理サーバ２は、利用申請に基づいて、認証情報を発行する。
具体的には、情報処理サーバ２では、ネットワーク接続部２２を介して利用申請を受け、制御部２１は、搭乗情報に含まれる乗車日時および乗車区間において識別情報が示す基地局６で利用可能なユーザＩＤを記憶部２３から検索して選択し、割り当てる。これにより、ユーザＩＤと対応するパスワード（Ｐ／Ｗ）が発行され、記憶部２３に記憶される。
【００５２】
（ｆ）：認証情報の通知
情報処理サーバ２は、発行したユーザＩＤとパスワードを含む認証情報を、基地局６を介して認証機３に通知する。
【００５３】
（ｇ）利用券の発行
認証機３は、通知された認証情報に基づいて、無線ＬＡＮの利用券を発行する。
図１０は、利用券の一表示例を示す。たとえば、図１０に示すように、利用日時、利用区間等とともに、ユーザＩＤとパスワードが利用券に印刷されて、出力される。
【００５４】
（ｈ）利用券の受取り
搭乗者は、認証機３から出力される利用券を車掌から受け取ることで、無線ＬＡＮを利用するためのユーザＩＤとパスワードを取得する。  
【００５５】
（ｉ）接続要求
搭乗者は、車内において、携帯通信端末５の操作部５４に対して利用券に記載されたユーザＩＤとパスワードを含む認証情報を入力し、無線ＬＡＮ通信部５２より基地局６に対して接続要求を行う。ここで、接続要求は、搭乗者が搭乗した車両の基地局６と、携帯通信端末５とで近距離無線通信により行われる。
【００５６】
（ｊ）認証のための問い合わせ
基地局６は、情報処理サーバ２に対して認証情報を送信し、接続要求を許可すべきか否かについての問い合わせを行う。その際、図１に示したように、基地局６は、ＥＶＤＯ方式により広域通信基地局４と通信し、ネットワーク１を経由して情報処理サーバ２に問い合わせを行う。
【００５７】
（ｋ）認証
情報処理サーバ２では、基地局６から送信された認証情報に基づいて、携帯通信端末５に無線ＬＡＮの利用許可を与えるか否かについての認証を行う。
すなわち、情報処理サーバ２は、前述した（ｅ）において発行して記憶している認証情報と、基地局６より送信された認証情報（ユーザＩＤおよびパスワード）とが一致するか否かについて判断する。
【００５８】
（ｌ）接続許可の通知
前述した（ｋ）において、認証情報が一致する場合には、情報処理サーバ２は基地局６に対して、接続を許可する旨の接続許可を通知する。接続許可は、情報処理サーバ２がネットワーク１および広域通信基地局４に接続し、広域通信基地局４がＥＶＤＯ方式により基地局６と通信を行うことで通知される。
【００５９】
（ｍ）接続
接続許可に基づいて、基地局６は携帯通信端末５と無線ＬＡＮ接続する。
これにより、携帯通信端末５は、基地局６をアクセスポイントとして広域通信基地局４とデータ通信を行うことが可能となる。
【００６０】
以上説明したように、本実施形態に係る通信方法によれば、乗車区間、乗車日時が記録された搭乗券と基地局の識別情報に基づいて、認証機３が情報処理サーバ２から認証情報を取得して、搭乗者に対して無線ＬＡＮの利用券を発行するので、車内で無線ＬＡＮを利用するための手続きを大幅に簡略化できる。
その際に、認証機３が搭乗券のデータを読み取るので、車内に設置された基地局６に対応する認証情報が搭乗者に与えられ、搭乗者の入力ミス等によるトラブル、たとえば利用券を発行したにもかかわらず利用できないといったトラブルを防止できる。
すなわち、搭乗者にとって見れば、車内の無線ＬＡＮを利用するための煩雑な操作から開放され、また、通信システムの管理者から見れば、ユーザＩＤを搭乗者の乗車日時および乗車区間に応じて基地局単位で効率的に管理することができるので、搭乗者並びに管理者の両者にとって利便である。
【００６１】
＜第２の実施形態＞
以下、第２の実施形態について説明する。
本実施形態の説明では、第１の実施形態にて搭乗者に与えた無線ＬＡＮの接続許可を、当該搭乗者の降車する駅（降車駅）にて解除する、すなわち、不許可とする場合の通信方法について述べる。
【００６２】
図１１は、電車７が搭乗者の降車駅に到着したときの通信システム１０ａの構成を示す図である。図１１は、第１の実施形態に係る通信システム１０と比較して、駅９とその駅９に設置された通信装置８が追加された点で相違する。
【００６３】
通信装置８は、乗車／降車するための駅にそれぞれ設置されており、無線ＬＡＮ等の近距離無線装置である。
図１１に示す通信装置８は、駅９を示す駅情報（たとえば、「五反田」や「新大久保」等の駅名をコード化した情報）を発信している。
【００６４】
図１２は、通信装置８のブロック構成を示す図である。
図１２に示すように、通信装置８は、制御部８１、無線ＬＡＮ通信部８２を有し、制御部８１による制御の下、無線ＬＡＮ通信部８２が近距離無線通信により、駅情報を発信する。具体的には、制御部８１内のＲＯＭ領域には駅情報が記憶され、当該駅情報を所定のタイミングで無線ＬＡＮ通信部８２が発信するように、制御部８１が制御する。
【００６５】
図１１において、基地局６は、電車７が駅９に停車して通信装置８から駅情報を受信すると、情報処理サーバ２に対して駅９以降は接続不許可とする携帯通信端末があるか否かについての問い合わせを行う。問い合わせには、駅情報が含まれる。
その際、図１に示したように、基地局６は、ＥＶＤＯ方式により広域通信基地局４と通信し、ネットワーク１を経由して情報処理サーバ２に問い合わせを行う。
【００６６】
情報処理サーバ２では、基地局６からの問い合わせに対し、当該問い合わせに含まれる駅情報に基づいて、管理するすべてのユーザＩＤの中から、駅９が降車駅となっているユーザＩＤを検索して、その結果を基地局６へ通知する。
さらに、情報処理サーバ２は、通知したユーザＩＤを他のユーザからの利用申請に対して開放する。これにより、基地局６からの新たな利用申請に対して当該ユーザＩＤを割り当てることができる。
基地局６は、情報処理サーバ２より通知されたユーザＩＤに対する接続を不許可とする。
【００６７】
以上のように、本実施形態に係る通信方法では、搭乗者の利用区間に基づいて、その降車駅で無線ＬＡＮの接続を確実に不許可とするとともに、ユーザＩＤを有効に活用することが可能となる。
【００６８】
なお、第２の実施形態では、情報処理サーバ２と基地局６は、駅９に着いて通信装置８から駅情報を受信したらすぐに接続を不許可とするようにせずに、通信装置８から駅情報を受信している間は接続を許可したまま維持し、通信装置８から駅情報が受信できなくなったとき、すなわち、電車７が駅９を出発してから接続を不許可とするようにしてもよい。
このように、通信装置８から駅情報が受信できなくなってから接続を不許可とするようにしたことで、通信装置８と通信が途絶えてから、すなわち、駅９で降車するユーザが実際に降車して電車７が駅９を出発してから接続を切断するので、駅９に到着してまだユーザが降車していないうちに接続を切断してしまうことを防ぐことができる。
【００６９】
＜第３の実施形態＞
以下、第３の実施形態について説明する。
本実施形態は、第１の実施形態で述べた通信方法と比較して、搭乗者に対する認証方法が相違する。すなわち、第１の実施形態では、図８に示したように、情報処理サーバ２が基地局６からの問い合わせに応じて認証処理を行うが、本実施形態では、基地局６が認証処理を行う。
なお、本実施形態に係る通信システムのシステム構成は、通信システム１０と同一である。
【００７０】
図１３は、本実施形態に係る通信方法を説明するための処理フロー図である。
図１３は、図８に示した第１の実施形態に係る処理フロー図と比較して、（ｎ），（ｏ）の各処理において相違する。なお、図８に示した処理フロー図と同一の符号を付した処理は、図８と同一であり、ここでは再度の説明は行わない。
【００７１】
なお、本実施形態では、基地局６にて認証処理を行うため、記憶部６２は、認証情報（ユーザＩＤおよびパスワード）を記憶する。
【００７２】
（ｎ）認証情報の保存
基地局６は、情報処理サーバ２より通知された認証情報を記憶部６２に記憶する。
【００７３】
（ｏ）認証および接続許可
基地局６は、携帯通信端末５により接続要求がなされると、接続要求に係る認証情報（ユーザＩＤおよびパスワード）と、記憶部６２が記憶する認証情報が一致する場合に携帯通信端末５に対して接続許可を与える。
【００７４】
以上のように、本実施形態に係る通信方法では、基地局６が認証情報を保持しておくため、情報処理サーバに認証のための問い合わせする必要がなく、迅速に携帯通信端末５に対して接続許可を与えることができる。
【００７５】
＜第４の実施形態＞
本実施形態では、第３の実施形態に係る通信システム１０と同様に、基地局６が認証処理を行う場合に、搭乗者に与えた無線ＬＡＮの接続許可を、当該搭乗者の降車する駅（降車駅）にて解除する、すなわち、不許可とする場合の通信方法について述べる。
なお、本実施形態に係る通信システムは、図１１に示した通信システム１０ａと同一である。
【００７６】
図１１において、基地局６は、電車７が駅９に停車して通信装置８から駅情報を受信すると、駅９以降は接続不許可とする携帯通信端末があるか否かを判断する。すなわち、この駅情報と記憶部６２に記憶する認証情報とを参照し、この駅９が降車駅となっているユーザＩＤを検索して、そのユーザＩＤに対する接続を不許可とする。
【００７７】
以上のように、本実施形態に係る通信方法では、搭乗者の利用区間に基づいて、その降車駅で無線ＬＡＮの接続を確実に不許可とするとともに、ユーザＩＤを有効に活用することが可能となる。
【００７８】
なお、本発明の実施形態は、上述した内容に拘泥せず、本発明の要旨を変更しない範囲で様々な改変が可能である。
【００７９】
たとえば、上述した実施形態では、電車７の各車両にそれぞれ基地局６を設置し、広域通信基地局４とＥＶＤＯ方式の通信を行う構成としたが、これに限られるものではなく、例えば、マスター型の基地局とスレーブ型の基地局を用いてマスター／スレーブ通信を行うようにしてもよい。これはすなわち、電車７の複数の車両のうち、一つの車両のみに広域通信基地局４との通信を行うことのできるマスター型の基地局を設置し、その他の車両にはこのマスター型の基地局と通信を行うスレーブ型の中継基地を設置し、スレーブ型の中継基地が携帯通信端末５と通信するデータをマスター型の基地局に渡し、マスター型の基地局を経由して広域通信基地局４と通信を行うようにしてもよい。
【００８０】
例えば、本発明の実施形態では、駅９に設置してある通信装置８との通信と、携帯通信端末５との通信とを共に無線ＬＡＮ通信部６４で行うようにしているが、これに限られるものではなく、それぞれの通信に適した別々の無線ＬＡＮ通信部を用いても良い。
また、本発明の実施形態では、広域通信基地局としてＣＤＭＡ２００  １ｘ，ＥＶＤＯ方式のものを示したが、これに限られるものではなく、例えば、Ｗ−ＣＤＭＡ方式やＧＳＭ方式などの様々な通信方式を用いることができる。
【図面の簡単な説明】
【００８１】
【図１】実施形態に係る通信システムのシステム構成図である。
【図２】認証機の構成を示すブロック図である。
【図３】認証機の外観の一例を示す図である。
【図４】情報処理サーバの構成を示すブロック図である。
【図５】基地局の構成を示すブロック図である。
【図６】携帯通信端末の構成を示すブロック図である。
【図７】広域通信基地局のブロック構成を示す図である。
【図８】実施形態に係る通信方法を説明するための処理フロー図である。
【図９】利用券の発行処理における認証機の表示部の一表示例を示す。
【図１０】利用券の一表示例を示す図である。
【図１１】実施形態に係る通信システムのシステム構成図である。
【図１２】通信装置のブロック構成を示す図である。
【図１３】実施形態に係る通信方法を説明するための処理フロー図である。
【符号の説明】
【００８２】
１…ネットワーク、２…情報処理サーバ、３…認証機、４…広域通信基地局、５…携帯通信端末、６…基地局、７…電車、８…通信装置、９…駅、１０…通信システム。
【図１】
2006129260.tif 000003
【図２】
2006129260.tif 000004
【図３】
2006129260.tif 000005
【図４】
2006129260.tif 000006
【図５】
2006129260.tif 000007
【図６】
2006129260.tif 000008
【図７】
2006129260.tif 000009
【図８】
2006129260.tif 000010
【図９】
2006129260.tif 000011
【図１０】
2006129260.tif 000012
【図１１】
2006129260.tif 000013
【図１２】
2006129260.tif 000014
【図１３】
2006129260.tif 000015